(57)【要約】【課題】プリント作成の処理と平行して記録媒体への保存や書き込みを行う場合に、プリント作成の効率を低下させなくてすむ画像データ処理システムを提供すること。【解決手段】画像データが入力されるスキャナー１と、入力された画像データに対して画像処理を施してプリント用画像データを作成する画像処理部３と、スキャナー１と画像処理部３に対する制御を行う第１制御部４と、プリント用画像データをプリント作成装置Ｃと画像保存装置Ｂの両方に同時送信可能な画像送信部８とを備え、画像保存装置Ｂは、画像送信部８から送信されてくるプリント用画像データを受け取るバッファ基板２０と、受け取ったプリント用画像データを保存するためのハードディスク２２と、バッファ基板２０とハードディスク２２に対する制御を行う第２制御部２４とを備えた。【選択図】    図１
2004266442.tif 000002
【特許請求の範囲】
【請求項１】
画像データが入力される画像入力部と、
入力された画像データに対して画像処理を施してプリント用画像データを生成する画像処理部と、
前記画像入力部と前記画像処理部に対する制御を行う第１制御部と、
前記プリント用画像データをプリント作成装置と画像保存装置の両方に同時送信可能な画像送信部とを備え、
前記画像保存装置は、
前記画像送信部から送信されてくる前記プリント用画像データを受け取る画像受取部と、
受け取った画像データを保存するための記憶媒体と、
前記画像受取部と前記記憶媒体に対する制御を行う第２制御部とを備えていることを特徴とする画像データ処理システム。
【請求項２】
前記受け取った画像データを外部記録媒体に記録させるための外部記録部を備えており、この外部記録部も前記第２制御部により制御されることを特徴とする請求項１に記載の画像データ処理システム。
【請求項３】
前記受け取った画像データを変換処理する変換処理部を備え、変換処理後の画像データを前記記憶媒体、及び／又は、前記外部記録媒体に保存するように構成したことを特徴とする請求項１又は２に記載の画像データ処理システム。
【請求項４】
前記画像処理部内に構成されたプリント用画像データを変換処理する第１変換処理部と、
前記画像受取部内に構成されたプリント用画像データを変換処理する第２変換処理部と、
前記第１変換処理部と前記第２変換処理部のいずれかを選択するための変換処理選択手段とを備えたことを特徴とする請求項１又は２に記載の画像データ処理システム。
【請求項５】
前記変換処理には、画像データのサイズを拡大又は縮小する処理が含まれることを特徴とする請求項３又は４に記載の画像データ処理システム。
【発明の詳細な説明】
【０００１】
【発明の属する技術分野】
本発明は、画像データが入力される画像入力部と、入力された画像データに対して画像処理を施してプリント用画像データを生成する画像処理部とを備え、プリント用画像データを用いてプリント作成装置でプリントを作成すると共に、プリント用画像データを画像保存装置に保存させる画像データ処理システムに関する。
【０００２】
【従来の技術】
かかる画像データ処理システムの従来技術の構成を図３に示す。画像入力部１００は、ネガフィルムやメディアから画像データを取得する。画像メモリ１０１は、画像入力部１００から入力された画像データを一旦保存する。画像処理部１０２では、入力された画像データに対して種々の画像処理を施してプリント作成のためのプリント用画像データを生成する。キーボード１０３は、システム内の各部に対する指令を与えたり、画像メモリのために必要な情報を入力するために用いられる。モニター１０４は、入力した画像データを表示させたり、プリント処理を行うのに必要な画面を表示させたりする。ハードディスク１０５は記憶媒体の一種であり、プリント用画像データを保存しておき、後日のリプリント（焼き増し処理）の依頼にネガフィルム無しでも対応可能にしている。ＣＤ−Ｒ書き込み装置１０６は、外部記録媒体であるＣＤ−Ｒに画像データを書き込む装置である。制御部１０７は、画像入力部１００、画像処理部１０２、ハードディスク１０５、ＣＤ−Ｒ書き込み装置１０６等に対する作動制御を行う。制御部１０７は、１つまたは複数のＣＰＵ及び各種制御用プログラムを中核として構成される。
【０００３】
画像送信部１０８は、画像処理部１０２で生成されたプリント用画像データをプリント作成装置１０９やハードディスク１０５やＣＤ−Ｒ書き込み装置１０６に対して送信可能に構成されている。プリント作成装置１０９は、写真感光材料を搬送させる機構、受け取ったプリント用画像データを用いて写真感光材料の乳剤面に画像を焼付露光する露光エンジン、焼付露光された写真感光材料を現像処理する現像処理部等から構成されている。プリント作成装置１０９は、制御部１１０により制御される。プリント用画像データとは、上記の露光エンジンにおいて、そのまま使用できる形のデータのことを言う。露光エンジンは、レーザーエンジン、ＰＬＺＴエンジン、ＣＲＴエンジン等が例としてあげられる。
【０００４】
画像処理部１０２で行われる画像処理の内容は多岐にわたるが、例えば、色・濃度の補正をするためにキーボード１０３から入力された補正値に基づく画像処理、プリントサイズに合わせるためのサイズを拡大／縮小するための画像処理（変換処理）、露光エンジンの光源のγ補正、等々があげられる。いずれにせよ、画像送信部１０８からは、作成すべきプリントのサイズに合致したサイズのプリント用画像データが送信できるように構成されている。
【０００５】
【発明が解決しようとする課題】
上記従来技術に係る構成の場合、次のような課題がある。すなわち、  入力した画像データに基づいて、プリント作成装置１０９でプリントを作成する処理と、当該画像データに基づいて、ハードディスク１０５やＣＤ−Ｒにも保存／書き込みを行う処理とを平行して行おうとすると、プリント作成効率（例えば、１時間あたりの作成枚数で表わされる。  ）が低下するという課題がある。特に、プリント作成装置１０９に送信するプリント用画像データをそのままハードディスク１０５に保存するのではなく、サイズの拡大／縮小等の処理を行ってから保存する場合、その処理を画像処理部１０２で行うことになるため、画像処理部１０２における負荷が増大し、画像送信部１０８から送信されるデータ量が落ち込む。これは、ＣＤ−Ｒ書き込み装置１０６に画像データを書き込む場合も同様である。そして、制御部１０７は、画像入力部１００、ハードディスク１０５、ＣＤ−Ｒ書き込み装置１０６等に対する制御を行っているため、画像データの保存や書き込みを行っている間は、画像入力部１００からの画像データの入力ができないか、あるいは、入力効率が低下する。画像データの入力が効率良くできなければ、その後工程における画像処理や、画像送信における速度も低下することになり、結果として、プリント作成効率も低下せざるを得ない。
【０００６】
本発明は上記実情に鑑みてなされたものであり、その課題は、プリント作成の処理と平行して記憶媒体への保存や書き込みを行う場合に、プリント作成の効率を低下させなくてすむ画像データ処理システムを提供することである。
【課題を解決するための手段】
上記課題を解決するため本発明に係る画像データ処理システムは、
画像データが入力される画像入力部と、
入力された画像データに対して画像処理を施してプリント用画像データを生成する画像処理部と、
前記画像入力部と前記画像処理部に対する制御を行う第１制御部と、
前記プリント用画像データをプリント作成装置と画像保存装置の両方に同時送信可能な画像送信部とを備え、
前記画像保存装置は、
前記画像送信部から送信されてくる前記プリント用画像データを受け取る画像受取部と、
受け取った画像データを保存するための記憶媒体と、
前記画像受取部と前記記憶媒体に対する制御を行う第２制御部とを備えていることを特徴とするものである。
この構成による画像データ処理システムの作用・効果は、以下の通りである。画像処理部は、入力された画像データに対して画像処理を施し、プリント用画像データを生成（作成）する。第１制御部は、画像入力部と画像処理部に対する制御を行う。生成されたプリント用画像データは、画像送信部を介して、プリント作成装置と画像保存装置の両方に同時に同じデータを送信することができるように構成されている。画像保存装置は、画像送信部から送信されてくるプリント用画像データを受け取る画像受取部（バッファ基板等）と、受け取った画像データを保存するための記憶媒体（ハードディスク等）を備えており、これらは、第２制御部により制御される。つまり、記憶媒体への保存処理は、第１制御部とは独立した第２制御部により行うことができる。したがって、画像保存装置側に送信されたプリント用画像データのその後の処理は、画像保存装置の第２制御部の指令の下に行われる。つまり、記憶媒体への保存処理は、画像処理部における画像処理や、画像入力部における入力処理とは切り離して（これらに影響を与えることなく）行うことができる。例えば、受け取ったプリント用画像データをそのまま保存するだけでなく、何らかの処理を加えた後に保存することができる。その結果、プリント作成の処理と平行して記憶媒体への保存を行う場合に、プリント作成の効率を低下させなくてすむ画像データ処理システムを提供することができる。
【０００７】
本発明の好適な実施形態として、受け取った画像データを外部記録媒体に記録させるための外部記録部を備えており、この外部記録部も前記第２制御部により制御されるものがあげられる。
【０００８】
例えば、ＣＤ−Ｒのような外部記録媒体に画像データを記録する場合に、外部記録部（例えば、ＣＤ−Ｒ駆動装置）に対する制御も第２制御部が行うようにしている。したがって、外部記録媒体への画像データの書き込み処理をプリント作成処理と平行して行っても、プリント作成効率を低下させなくてすむ。
【０００９】
本発明の別の好適な実施形態として、前記受け取った画像データを変換処理する変換処理部を備え、変換処理後の画像データを前記記録媒体、及び／又は、前記外部記録媒体に保存するように構成したものがあげられる。
【００１０】
プリント用画像データをそのまま記憶媒体や外部記録媒体に保存するのではなく、変換処理を行ってから保存する場合もある。例えば、画像サイズの拡縮処理である。この変換処理を第１制御部の指令下で行うと、プリント作成効率を低下させてしまうが、第２制御部の指令下で行うことで、プリント作成効率を低下させずに、変換処理を行い画像データの保存を行うことができる。
【００１１】
本発明の更に別の好適な実施形態として、前記画像処理部内に構成されたプリント用画像データを変換処理する第１変換処理部と、
前記画像受取部内に構成されたプリント用画像データを変換処理する第２変換処理部と、
前記第１変換処理部と前記第２変換処理部のいずれかを選択するための変換処理選択手段とを備えたものがあげられる。
【００１２】
前述した、画像サイズの拡縮処理等を行う変換処理部を設ける場合、第１制御部の制御下にある画像処理部と、第２制御部の制御下にある画像受取部の両方に設けることができる。そして、変換処理選択手段によりいずれか一方を選択できるようにしている。例えば、必要とされるプリント作成能力（効率）に応じて、作業者がいずれで変換処理をさせるかを選択できる。あるいは、第１変換処理部と第２変換処理部とで、処理内容を異ならせるようにして、能力に応じて使い分けることもできる。
【００１３】
【発明の実施の形態】
本発明に係る画像データ処理システムの好適な実施形態を図面を用いて説明する。  図１は、システムの全体構成を示す概念図である。  この画像データ処理システムは、画像データを入力して、これを用いて写真プリントを作成すると共に画像データを保存するためのシステムである。
＜システムの構成＞
システムを機能別に大きく分けると、イメージプロセッサーＡと、画像保存装置Ｂと、プリンタプロセッサー（プリント作成装置）Ｃに分けられる。まず、イメージプロセッサーＡについて説明する。イメージプロセッサーＡは、プリント作成すべき画像データを取り込み、画像処理を行う機能を有する。画像入力部１は、画像形成媒体から画像データを入力し取り込むために設けられる。ネガフィルムＦのような写真フィルムからコマ画像を読み取る場合には、フィルム専用のスキャナーが用いられる。  また、デジタル画像が記録されている各種のメディアＭ（ＭＯディスク、フレキシブルディスク、デジタルカメラ用記憶媒体等）からも画像データを取り込むことができる。取り込んだ画像データは、一旦画像メモリ２に送られて記憶される。
【００１４】
画像処理部３は、プリント作成に用いるプリント用画像データを生成するために種々の画像処理を行う機能を有する。画像処理の機能は、ハードウェアとソフトウェアとの適宜の組み合わせにより実現することができる。第１制御部４は、イメージプロセッサーＡの内部の作動制御を行う機能を有する。第１制御部４は、１つ又は複数のＣＰＵと、制御プログラム等を中核として構成されている。キーボード５は、システム内の各部に対する指令を与えたり、各種データの入力・設定を行うために用いられる。モニター６は、プリント処理の進行状況を確認したり、取り込んだ画像データを表示させて色・濃度の判定を行う場合等のために用いられる。  設定部７は、プリント処理のモードや画像データの保存形態等を設定するために設けられており、ソフトウェアの機能に基づくものである。
【００１５】
画像処理部３で行う画像処理としては、例えば、次のようなものがあげられる。現像済みネガフィルムＦからコマ画像の画像データを読み取り、モニター６に表示させる。オペレータは、表示された画面を見て、適切な色・濃度でプリントできるかを判定し、必要に応じて色・濃度の補正値をキーボード５により入力する。この補正値に基づいて、画像データの修正を行う。また、写真プリントを作成する場合は、そのプリントサイズに対応したサイズの画像データとしなければならない。そのために、取り込んだ画像データに対して拡大又は縮小処理を行う。これは、画像処理部３内における第１変換処理部３ａの機能として行うものである。また、４ＢＡＳＥや１６ＢＡＳＥ（１ＢＡＳＥ＝５１２×７６８ピクセル）といった規格サイズへの拡大・縮小処理も行うことができる。さらに、ＪＰＥＧ等の圧縮処理を行うこともできる。画像送信部８からは画像処理部３で作成したプリント用画像データを送信する。
【００１６】
プリンタプロセッサーＣは、露光エンジン１０、現像処理部１１、乾燥処理部１２を備えている。プリンタプロセッサーＣの各部は、制御部１３により制御される。露光エンジン１０は、画像送信部８からプリント用画像データを受け取ると、これを用いて写真感光材料の乳剤面に画像を焼付露光する。露光エンジン１０は、レーザーエンジン、ＰＬＺＴエンジン、ＣＲＴエンジン等の適宜の方式のものを使用することができる。現像処理部１１は、画像が焼付露光された写真感光材料に対して現像処理を施す。乾燥処理部１２は、現像処理された写真感光材料に対して乾燥処理を行う。プリント排出部から、仕上がりの写真プリントが排出される。画像処理部３では、露光エンジン１０でそのまま使用できる形のプリント用画像データを作成するようにしている。
【００１７】
次に、画像保存装置Ｂを説明する。画像保存装置Ｂは、画像データを保存・管理することを主目的として使用する。画像保存装置Ｂは、例えば、一般的なパソコンにより構成することができる。したがって、画像の保存・管理以外の付加的な機能を備えていても良い。
【００１８】
バッファ基板２０は、画像受取部として機能し、画像送信部８から送信されてくる画像データ（プリント用画像データ）を受け取ることができる。バッファ基板２０は、バッファメモリ２０ａを備えており、受け取った画像データを一時的に保存する。バッファメモリ２０ａは、画像数枚分の記憶容量を有していれば良い。第２変換処理部２０ｂは、受け取った画像データに対する変換処理を行う機能を有する。この機能は、画像処理部３の第１変換処理部３ａと同様である。第２変換処理部２０ｂは、ハードウェアにより構成し、処理時間が速くなるようにしている。本体メモリ２１（パソコンの主記憶装置に相当）は、バッファメモリ２０ａから画像データを受け取る。なお、第２変換処理部２０ｂによる処理を行わずに、受け取ったプリント用画像データをそのままハードディスク２２やＣＤ−Ｒに保存・書き込みができる。
【００１９】
本体メモリ２１の中に展開された画像データは、ハードディスク２２（記憶媒体に相当）及び／又はＣＤ−Ｒ書き込み装置２３（外部記録部に相当）のＣＤ−Ｒ（外部記録媒体）に送られる。顧客から写真プリント作成の依頼を受けた写真店では、取り込んだ画像データを用いて写真プリントを作成するだけでなく、ハードディスク２２へも保存するようにしている。これは、後日、顧客から焼き増し処理（リプリント）の依頼があった場合に、保存されている画像データを利用するためである。ハードディスク２２に保存させておくことで、顧客はネガフィルム等を持ち込まなくてもリプリント依頼ができる。また、ネガフィルムを再度スキャニングする必要がないので、焼き増し処理の作業効率がアップする。
【００２０】
また、顧客から写真プリントの作成のみならず、ＣＤ−Ｒへの画像データの書き込み処理の依頼を受けることもある。その場合も、画像保存装置Ｂを利用して画像データの書込みを行うようにしている。外部記録媒体の例としてＣＤ−Ｒをあげているが、これに限定されるものではなく、ＤＶＤ等の他の外部記録媒体に書き込むようにしても良い。
【００２１】
第２制御部２４は、画像保存装置Ｂの各部の制御を行う。第２制御部２４は、ＣＰＵ及び画像管理ソフトウェア（画像管理部に相当）等を中核として構成される。この画像管理ソフトウェアは、受け取った画像データをハードディスク２２に保存し、データベース化する機能を有する。画像データは、オーダー単位で管理・保存される。保存された画像データには画像ＩＤ（コマ番号に対応）とオーダーＩＤが付与される。リプリントの際には、これらのＩＤをキーにすることで、データベースの検索を行い、リプリントすべき画像データを抽出することができる。第２制御部２４には、モニター２５と、キーボード２６が接続されている。
【００２２】
イメージプロセッサーＡの設定部７では、画像データの処理モードを設定することができる。例えば、「写真プリント作成＋ハードディスク保存＋ＣＤ−Ｒ書き込み」を同時に行うモード、「写真プリント作成＋ハードディスク保存」を同時に行うモード、「写真プリント作成＋ＣＤ−Ｒへの書き込み」を同時に行うモード、である。また、写真プリント作成を行わない場合は、ハードディスク保存及び／又はＣＤ−Ｒ書き込み、を行うモードである。通常は、ハードディスクへの保存は行うようにしている。これらは、設定部７の処理モード選択手段７ｂの機能に基づく。
【００２３】
また、設定部７の機能として、画像データの変換処理を第１変換処理部３ａで行うか第２変換処理部２０ｂで行うかの設定もできる。この変換処理部の選択は、必要とされる写真プリント作成能力に応じて、いずれかを選択することができる。これは、設定部７の変換処理選択手段７ａの機能に基づく。また、例えば、ネガフィルムをスキャニングして取得した画像データを何らの処理も施さずＣＤ−Ｒに書き込んで欲しいというユーザーのために、画像入力部１で取得した画像データをそのままの形で画像保存装置Ｂ側に送信できるモードも備えている。これも処理モード選択手段７ｂの機能により選択できる。
【００２４】
さらに、画像データをＪＰＥＧのような画像圧縮モードで保存したり書き込んだりする場合は、その圧縮率を選択できる。これは、設定部７の圧縮率選択手段７ｃの機能に基づくものである。通常は、圧縮率の数値を大きく（例えば、９０％程度）に設定しておくことが好ましい。圧縮方法はＪＰＥＧによるものでなく、他の圧縮方法を用いても良い。
【００２５】
＜システムの作用＞
次に、図１の画像データ処理システムによる代表的な処理手順を図２のフローチャートにより説明する。まず、処理モードとして、「写真プリント作成＋ハードディスク保存＋ＣＤ−Ｒ書き込み」を同時並行して行うモードを選択する。また、画像データの変換処理は、画像保存装置側で行うように設定する。
【００２６】
まず、画像入力部１であるスキャナーに現像済みネガフィルムＦをセットして、スキャニングを行う（＃１）。読み取ったネガフィルムの画像データを画像メモリ２に保存する（＃２）。１オーダー分（ネガフィルム１本分）の画像データを取得すると、画像をモニター６に表示させる。オペレータは、モニター６の画像を見ながら、色・濃度を判定し必要に応じて色・濃度の補正値を入力する。
【００２７】
画像処理部３は、入力された補正値に基づいて取り込んだ画像データに対する画像処理を行う（＃３）。また、画像処理部３はその他の画像処理（カラーマネジメント処理や光源のγ補正等）を行い、プリントサイズに合致したサイズへの拡縮処理も行う。以上のようにして、最終的にプリント用画像データを生成する。
【００２８】
画像送信部８は、画像処理部３により作成されたプリント用画像データをプリンタプロセッサーＣ側と、画像保存装置Ｂ側に同時に送信する（＃４）。これは、両方へ送る画像データが同じであるので、同時に送信できるものである。プリント用画像データを送信した後、画像保存装置Ｂにおける各部の制御は、第１制御部４ではなく、第２制御部２４により行われる。また、プリンタプロセッサーＣの制御も制御部１３により行われる。したがって、画像保存装置Ｂにより行われる画像の保存や書き込み処理により、画像入力部１や画像処理部３における処理が遅れてしまうこということがない。したがって、滞りなくプリント用画像データをプリンタプロセッサーＣに送信することができるので、プリント作成効率を低下させなくてすむ。画像送信部８からプリント用画像データを画像保存装置Ｂ側に送信した後の処理は、基本的には、イメージプロセッサーＡ側では関与しない構成としているため、プリント作成処理と画像の保存・書き込み処理を同時に行ったとしても、システム全体の処理効率を低下させなくてもすむ。
【００２９】
プリンタプロセッサーＣでは、プリント用画像データを受け取ると、露光エンジン１０により露光処理がされる（＃５）。つまり、写真感光材料にプリント用画像データに基づいて画像が焼付露光される。ついで、写真感光材料の現像処理及び乾燥処理が施され、写真プリントが作成される（＃６，７，８）。
【００３０】
一方、画像送信部８から送信されたプリント用画像データは、バッファ基板２０により受け取られる。バッファ基板２０に設けられたバッファメモリ２０ａに一旦プリント用画像データが展開される。ここで、変換処理をすべきことが設定されていれば、第２変換処理部２０ｂにおいてプリント用画像データの変換処理（ＪＰＥＧによる圧縮や、サイズの拡縮処理等）が行われる（＃１０）。変換処理をしない場合は、ステップ＃１０の処理は実行されない。次に、画像管理ソフトウェアの機能により、バッファメモリ２０ａに展開されている画像データを読み出して、本体メモリ２１に展開する（＃１１）。次に、この本体メモリ２１のある画像データをハードディスク２２に保存させると共に、ＣＤ−Ｒ書き込み装置２３にも送り、ＣＤ−Ｒへ書き込む（＃１２、＃１３）。
【００３１】
この処理手順によれば、バッファ基板２０上で変換処理を行うような設定にしており、プリント作成効率を低下させなくてもすむ。従来技術の図３では、バッファ基板２０上で行う変換処理を画像処理部１０２で行わなければならないので、必然的に、プリント作成効率を低下させざるをえない。第２変換処理部２０ｂを特にハードウェアで構成すれば、高速で処理を実行できるので好ましい。
【００３２】
図１のシステム構成によると、画像入力部１においてネガフィルムのスキャニングをしながらも、ハードディスク２２への保存やＣＤ−Ｒ書き込み装置２３への書き込みを行えるので、この点においても処理時間が高速になる。従来のシステムでは、これらを同時処理することが困難であった。
【００３３】
図２のフローチャートでは、同じプリント用画像データを画像送信部８から同時送信する構成を説明した。双方へ異なる画像データが送信される場合は、同時送信ができないので、タイミングをずらして送信することになる。例えば、画像処理部３の第１変換処理部３ａで変換処理を行った画像データを画像保存装置Ｂへ送信する場合は、プリンタプロセッサーＣへ送信する画像データと、画像保存装置Ｂへ送信する画像データとは異なるものになるので、タイミングをずらして送信する。この場合であっても、同時送信の場合に比べると処理効率は低下するものの、図３の従来システムに比べると効率は良い。
【００３４】
＜別実施形態＞
（１）画像送信部８から画像保存装置Ｂへと画像データを送信する場合は、例えば、専用回線により接続するがこれに限定されるものではない。汎用的なネットワークによりイメージプロセッサーＡと画像保存装置Ｂとを接続しても良い。また、この場合、接続される台数については、特定の数に限定されるものではない。
【００３５】
（２）画像保存装置Ｂを一般的なパソコンで構成した場合、これを、インターネット等のネットワークに接続することが可能である。これにより、顧客がインターネットを介して、ハードディスク２２に保存されている画像データを用いたリプリント処理を依頼することもできる。
【００３６】
（３）プリント作成装置としては、プリンタプロセッサーＣ以外のインクジェット、熱昇華式のプリンタであってもよい。
【図面の簡単な説明】
【図１】画像データ処理システムの全体構成を示す概念図
【図２】代表的な処理手順のフローチャート
【図３】従来技術に係る画像データ処理システムの全体構成を示す図
【符号の説明】
Ａ        イメージプロセッサー
Ｂ        画像保存装置
Ｃ        プリンタプロセッサー
１        画像入力部
２        画像メモリ
３        画像処理部
３ａ      第１変換処理部
４        第１制御部
７        設定部
７ａ      変換処理選択手段
８        画像送信部
２０      バッファ基板
２０ａ    バッファメモリ
２０ｂ    第２変換処理部
２１      本体メモリ
２２      ハードディスク
２３      ＣＤ−Ｒ書き込み装置
２４      第２制御部
【図１】
2004266442.tif 000003
【図２】
2004266442.tif 000004
【図３】
2004266442.tif 000005